(57)【特許請求の範囲】
【請求項１】
電極と被加工物の間にパルス電圧を印加し、ＮＣ制御により三次元制御を行い、所望の形状加工を行う放電加工装置において、
あらかじめ前加工によりスリット状の１次加工を行った後、前記１次加工によって形成された加工形状の２次元輪郭経路、加工すべき側面テーパの寸法、各条件での電極のＸＹ方向移動に対する一定Ｚ方向送り量、及び加工条件テーブルを記憶する記憶手段と、
前記輪郭経路にオフセット情報を付加するオフセット情報付加手段と、
前記側面テーパの寸法による深さデータ及びＺ方向送り量と電気条件・電極径に対して、予め求められた電極経路一周あたりの加工深さにより目的深さまでの電極経路の繰り返し回数を算出する加工処理回数算出手段と、
前記側面テーパの寸法による前記側面方向の長さ及び加工処理回数により電極経路１回あたりのオフセット変位量を算出するオフセット変位量算出手段と、
前記オフセット情報付加手段により前記輪郭経路に付加されたオフセット位置から電極経路一回毎に前記オフセット変位量を変化させる電極位置制御手段と、
この電極位置制御手段の制御により中空円筒状電極をＺ軸方向に回転させつつ、前記スリットの側面にテーパ加工を行う２次加工手段とを備えたことを特徴とする放電加工装置。
【請求項２】
中空円筒状電極の外径が、加工すべき側面テーパの寸法の側面方向の長さに等しいか大きいことを特徴とする請求項１に記載の放電加工装置。
【請求項３】
中空円筒状電極の肉厚が、側面テーパの底部に形成される曲り部の曲率半径の許容されうる値に等しいか小さいことを特徴とする請求項１に記載の放電加工装置。
【請求項４】
電極と被加工物の間にパルス電圧を印加し、ＮＣ制御により三次元制御を行い、所望の形状加工を行う放電加工方法において、
あらかじめ前加工によりスリット状の１次加工を行なう工程と、
前記１次加工によって形成された加工形状の２次元輪郭経路、加工すべき側面テーパの寸法、各条件での電極のＸＹ方向移動に対する一定Ｚ方向送り量、及び加工条件テーブルを記憶する工程と、
前記輪郭経路にオフセット情報を付加する工程と、
前記側面テーパの寸法による深さデータ及びＺ方向送り量と電気条件・電極径に対して、予め求められた電極経路一周あたりの加工深さにより目的深さまでの電極経路の繰り返し回数を算出する工程と、
前記側面テーパの寸法による前記側面方向の長さ及び加工処理回数により電極経路１回あたりのオフセット変位量を算出する工程と、
前記オフセット情報付加手段により前記輪郭経路に付加されたオフセット位置から電極経路一回毎に前記オフセット変位量を変化させる工程と、
この制御された変位量に基ずいて中空円筒状電極をＺ軸方向に回転させつつ、前記スリットの側面にテーパ加工を行う工程とからなることを特徴とする放電加工方法。
【請求項５】
電極経路の繰り返し回数を算出する工程は、予め求められた電極経路一周あたりの加工深さ、側面テーパの寸法による設定深さデータ及び予め求められた深さデータに基ずいて処理されることを特徴とする請求項４に記載の放電加工方法。
【請求項６】
中空円筒状電極の外径が、加工すべき側面テーパの寸法の側面方向の長さに等しいか大きいことを特徴とする請求項４に記載の放電加工方法。
【請求項７】
中空円筒状電極の肉厚が、側面テーパの底部に形成される曲り部の曲率半径の許容されうる値に等しいか小さいことを特徴とする請求項４に記載の放電加工方法。
【発明の詳細な説明】
【０００１】
【発明の属する技術分野】
この発明は，被加工物の側面をあらかじめ垂直に加工を行った後、テーパ状に加工を行うに際し、中空円筒状電極を用いて加工を行う放電加工装置及び方法に関するものである。
【０００２】
【従来の技術】
従来より、一般に放電加工により側面のテーパ加工を行う場合、電極側面をテーパ形状に整形し、電極を被工作物に対して主方向１軸のみに進退させることにより、電極の形状を被工作物に転写するように加工を行っている。
【０００３】
一方、特公昭４１−３５９４号公報に開示されているように、棒状電極を被加工物に対して、主方向と直角の方向（垂直な平面）において、電極と被加工物との相対運動を行わせる放電加工方法およびその装置が広く利用されている。
【０００４】
この場合、加工深さに応じて主方向と直角の方向の変位量を、加工開始時には大きくし、加工の進行に従って小さくするように、加工の深さに応じて制御することにより図１３に示すような棒状電極（ストレート電極）により、被加工物に加工深さＺｍ、加工開始時の半径ＲＯ（電極の進退方向と直角方向への移動量）のテーパ状形彫加工を行なうことができる。すなわち、電極を進退方向であるＺ軸方向に移動させると共に、これと直角方向であるＸ軸・Ｙ軸方向に移動させ、この３軸方向への移動を組合せて上記のテーバ状形彫加工を行なうものである。また、Ｘ軸・Ｙ軸方向の組合せにより電極をＺ軸を中心に周回移動させて加工を行なうこともできる。
【０００５】
また、特公平１−２２０９７号公報に開示されている方法では、図１４（ａ）に示すように、電極をＺ軸方向に前進させて加工を行い、次いで同図（ｂ）、（ｃ）に示すようにその加工終了位置より電極を後退させながらＸ軸およびＹ軸方向に移動させて電極側面部で加工する方法が提案されている。この方法を用いれば電極先端部に放電を集中しないようにして加工を行うことができる。
【０００６】
一方、従来より、円筒状、円柱状、角柱のどの単純形状をした電極を用い、ＮＣ制御手段により３次元制御を行い、所望の３次元形状加工を行うことのできる放電加工装置が知られている。この様な放電加工装置では、複雑な３次元形状の総型を製作する必要がないため、金型の製作コストおよび製作時間を改善できる。また、加工に用いる電極は、特定の単純形状電極を用いるため、ＣＡＭシステムの構築が容易となり、加工工程の自動化も期待できる。
【０００７】
しかし、この様な放電加工装置では、単純形状電極を用いて幅広い面積の加工を行うため、総型電極による放電加工を比較して、電極消耗量や加工形状精度が問題となる。
この様な問題を解決するため、特開平５−３４５２２８号公報においては、電極消耗補正を行うことによって、高精度な加工を行う方法が示されている。図１５は、そのような電極消耗補正方法の原理を示した図である。
【０００８】
図に示すように、回転しながら円筒電極を放電加工している平面に対して角度αで斜めに送ることによって、電極１の輪郭形状および加工深さが変化する位置（ａ）から位置（ｄ）までの過渡状態を経て、電極１の輪郭形状および加工深さが変化しない位置（ｄ）から（ｅ）以降の定常状態を作り出すことが出来る。この時、電極消耗量の大きい加工条件で有るならば、上述の位置（ａ）から（ｄ）までの過渡状態をほとんど無視することができる。従って、適切な送り角度αで加工電極を斜めに送ることによって、加工深さが一定の層状の除去加工を行うことが出来る。
【０００９】
この方法による技術では、長手方向の消耗量を補正するための値を計算するためのシミュレータを備え、除去層の厚さＥ、電極半径Ｒ、体積消耗比Ｕを与えることにより、放電加工している層の平面に対する電極の送り角度αを計算し、傾斜運動により加工を行う。
【００１０】
【発明が解決しようとする課題】
上記、図１３に示される、テーパ加工のできる放電加工装置においては、加工の際、図１６（ａ）に示すように被加工物と対向するのは常に電極先端部である。このため、電極先端部は常時、放電あるいは電解の影響を受けて消耗しやすく、消耗すると同図（ｂ）、（ｃ）に示すように先端部の形状が変わり、斜線を施した部分の取りしろが残ってしまう。そのため、加工形状は、目的の加工形状とは著しく異なった形状が生じる結果となる。
【００１１】
一方、図１４のような加工を行った場合、電極先端部だけでなく、側面を有効に使用して放電を行うため、先端部のみでの消耗の集中は抑制されるため、図１６よりも形状を維持した加工を行うことができる。ただし、使用する棒状電極は、側面は垂直ではあるものの、２次元形状的には、ほぼ同じ加工形状の電極をあらかじめ用意する必要がある。
【００１２】
例えば、図１７のように、あらかじめ前加工により、スリット状の加工を行った後、開口部にテーパ加工を行うような場合、複雑な形状の総型電極を制作することは非常に効率の悪いものとなっている。図の様な場合、スリット形状は当然、ワイヤカット放電加工機により加工した方が、精度も良く短時間で加工できる。そのため、仮にスリット形状の棒状電極を製作したとしても、加工するのはテーパ部分だけである。
【００１３】
また、被加工物の材質が硬度の高いものを用いた場合、側面の消耗量が無視できないものとなる。そのため、加工途中において、複数の電極を交換して、消耗による影響を排する必要がある。
【００１４】
一方、単純な電極を用いて輪郭加工を行う場合について述べる。まず、低消耗条件で極力電極を消耗させないでテーパ加工を行う場合、加工は電極の端面エッジ部で行われるため、エッジの消耗が激しくなる。エッジ部のみが丸く消耗するため、形状精度を保つには、電極端面部をドレッシングするか、電極自体を頻繁に交換する必要がある。
【００１５】
また、特開平５−３４５２２８号公報のように、電極消耗補正を行うことによって、加工を行う方法では、基本的に側面形状が垂直なものの加工を前提としており、テーパ加工を高精度に行うことが考慮されていない。
また、無垢の被加工物に対して加工することを前提としているため、例えば、図１７のように、あらかじめ前加工を行った側面にテーパ加工を行うことが困難となっている。
【００１６】
この発明は、以上のような問題点を解決するためになされたもので、被加工物の側面をあらかじめ垂直に加工を行った後、側面をテーパ形状に加工を行うに際し、中空円筒形状電極を用いて高精度に加工を行う放電加工方法および装置を得ることを目的とする。
【００１７】
【課題を解決するための手段】
この発明に関わる放電加工装置は、電極と被加工物の間にパルス電圧を印加し、ＮＣ制御により三次元制御を行い、所望の形状加工を行う放電加工装置において、あらかじめ前加工によりスリット状の１次加工を行った後、前記１次加工によって形成された加工形状の２次元輪郭経路、加工すべき側面テーパの寸法、各条件での電極のＸＹ方向移動に対する一定Ｚ方向送り量、及び加工条件テーブルを記憶する記憶手段と、前記輪郭経路にオフセット情報を付加するオフセット情報付加手段と、前記側面テーパの寸法による深さデータ及びＺ方向送り量と電気条件・電極径に対して、予め求められた電極経路一周あたりの加工深さにより目的深さまでの電極経路の繰り返し回数を算出する加工処理回数算出手段と、前記側面テーパの寸法による前記側面方向の長さ及び加工処理回数により電極経路１回あたりのオフセット変位量を算出するオフセット変位量算出手段と、前記オフセット情報付加手段により前記輪郭経路に付加されたオフセット位置から電極経路一回毎に前記オフセット変位量を変化させる電極位置制御手段と、この電極位置制御手段の制御により中空円筒状電極をＺ軸方向に回転させつつ、前記スリットの側面にテーパ加工を行う２次加工手段とを備えたものである。
【００１８】
また、中空円筒状電極の外径が、加工すべき側面テーパの寸法の側面方向の長さに等しいか大きいものである。
【００１９】
また、中空円筒状電極の肉厚が、側面テーパの底部に形成される曲り部の曲率半径の許容されうる値に等しいか小さいものである。
【００２０】
この発明に関わる放電加工方法は、電極と被加工物の間にパルス電圧を印加し、ＮＣ制御により三次元制御を行い、所望の形状加工を行う放電加工方法において、あらかじめ前加工によりスリット状の１次加工を行なう工程と、前記１次加工によって形成された加工形状の２次元輪郭経路、加工すべき側面テーパの寸法、各条件での電極のＸＹ方向移動に対する一定Ｚ方向送り量、及び加工条件テーブルを記憶する工程と、前記輪郭経路にオフセット情報を付加する工程と、前記側面テーパの寸法による深さデータ及びＺ方向送り量と電気条件・電極径に対して、予め求められた電極経路一周あたりの加工深さにより目的深さまでの電極経路の繰り返し回数を算出する工程と、前記側面テーパの寸法による前記側面方向の長さ及び加工処理回数により電極経路１回あたりのオフセット変位量を算出する工程と、前記オフセット情報付加手段により前記輪郭経路に付加されたオフセット位置から電極経路一回毎に前記オフセット変位量を変化させる工程と、この制御された変位量に基ずいて中空円筒状電極をＺ軸方向に回転させつつ、前記スリットの側面にテーパ加工を行う工程とからなる方法である。
【００２１】
また、電極経路の繰り返し回数を算出する工程は、予め求められた電極経路一周あたりの加工深さ、側面テーパの寸法による設定深さデータ及び予め求められた深さデータに基ずいて処理される方法である。
【００２２】
また、中空円筒状電極の外径が、加工すべき側面テーパの寸法の側面方向の長さに等しいか大きい方法である。
【００２３】
また、中空円筒状電極の肉厚が、側面テーパの底部に形成される曲り部の曲率半径の許容されうる値に等しいか小さい方法である。
【００２４】
【発明の実施の形態】
以下、この発明の実施の形態を図に基づき説明する。
実施の形態１．
図１は、この発明の実施の形態１による放電加工装置を示す概略構成図である。
１は加工用の中空円筒状電極、２は被加工物、３は電極移動手段および電極回転手段、４は加工液、５は加工槽である。６は加工液を循環させるための加工液供給手段、７は電極１と被加工物２の間に電流パルスを印加するための加工用電源である。８は加工形状データに基づいて、電極を移動させるためのＮＣ制御手段である。
【００２５】
図２は、図１の放電加工装置までの情報の流れを示す詳細図である。
９は記憶手段であり、目的の加工形状の２次元輪郭経路９ａ、加工すべき側面テーパの寸法９ｂ、電極進行方向に対する側面の向き９ｃ、各条件での電極のＸＹ方向移動に対する一定Ｚ方向送り量９ｄ、加工条件テーブル９ｅより構成されている。９ｄのパラメータは、各条件（電気条件、電極径）での電極の消耗に対するＺ方向補正量に相当すると考えて良い。また、９ｅの加工条件テーブルでは、９ｄのパラメータより輪郭加工パス１回あたりの加工深さを算出する。１０はＮＣ制御手段であり、輪郭経路にオフセット情報を付加する手段（オフセット情報付加手段）１０ａ、パス繰り返し回数算出手段（加工処理回数算出手段）１０ｂ、初期オフセット値よりパス一回あたりのオフセット変位量を算出する手段（オフセット変位量算出手段）１０ｃ、電極位置制御手段１０ｄより構成されている。
【００２６】
次に本加工装置を用いて行った単純パイプ電極による側面加工プロセスの説明を行う。今回、１次加工として、あらかじめ前加工によりスリット状の加工を行った。形状は図３（ａ）のようになる。この１次加工手段は、後述するテーパ加工を行う２次加工手段と同じものでもよいし、異なるタイプの電極によるものでもよい。
本実施の形態では、テーパの一加工例として、さらに図３（ｂ）のような形状の側面テーパ加工を行う。テーパの設定寸法は、側面方向に最大ａ、深さ方向に最大ｂとする。
【００２７】
一方、テーパ加工を行う前に、図３（ａ）のスリットの池形状に対して、あらかじめ電極の輪郭経路を生成しておく必要がある。輪郭経路は、図５（ａ）に示すように、使用する電極の側面がスリットの池形状輪郭１１の内側側面に接するような電極経路１２である必要がある。この電極経路１２が今回のテーパ加工を行うための、基本加工経路１２となる。なお、この加工パスはオフセット情報に対応しているため、図５（ｂ）のようにオフセット値の指定に基づいて拡大縮小の指定が可能となっている。
【００２８】
側面テーパ加工のプロセスを側面方向から見たものを、図４の（ａ）（ｂ）（ｃ）（ｄ）の順で示すことができる。なお、使用電極１はパイプとし、加工中は常に一定回転数で回転しているものとする。初めに、外径Ｄのパイプ電極１は、図４（ａ）において示されるように、あらかじめ与えられた基本輪郭パス１２に対して、オフセット量ａだけ拡大された位置からスタートする。上面から見た場合、加工開始時の電極経路１３は図５（ｂ）のように示される。
【００２９】
このようにまず、一番初めの加工は、あらかじめ与えられた基本加工経路１２に対して、オフセットａだけ拡大した経路１３に関して行う。ただし、電極経路の通りＸＹ平面のみに動くと、加工経路が１周する前に電極が消耗し、図６のように加工が途中で行われなくなってしまう。そのため、図１５のように、ＸＹ方向の移動と同時にＺ方向に下降しつつ加工を行う。Ｚ方向への勾配量は、図２に示すように、各条件において、あらかじめＸＹ移動量に対する、電極のＺ送り量が記憶されており、この記憶データが直接、電極移動制御手段に送られるため、加工輪郭形状に関わらず、ＸＹの移動に対して一定のＺ送り量を与えることができる。
【００３０】
上記のように、ＸＹ方向の移動に対して一定のＺ送り量が与えられ、形状寸法ａがｂより比較的小さい場合、形状輪郭パスが長かったり、電極消耗が無視できないほど大きな場合でも、図４（ｂ）で示されるように、一定深さｂ１の加工が行われる。この場合、放電は主に電極底面部のみで行われる、電極経路一周あたりの加工深さｂ１は、形状輪郭パスが長くなっても常に一定の値を示す（図１５参照）。そのため、Ｚ送り量と電気条件・電極径に対して、電極経路一周あたりの加工深さｂ１は、実験により算出し加工条件テーブルとして、容易に蓄えることができる。
【００３１】
図４（ｂ）から（ｄ）にかけては、加工輪郭経路１３の加工回数を重ねるごとに、層状の加工が行われる。ただし、テーパ加工を行うためには、加工を１層行うごとに、オフセット量をｄだけ減少させていき、側面に勾配を生成する必要がある。層状の加工が行われ、消耗した電極端面部が深さｂに達したとき、オフセット量はゼロとなる。
【００３２】
なお、一層あたりのオフセット変化量ｄに関する算出手段を図７に示す。あらかじめ、テーパ形状寸法ａ、ｂ、Ｚ補正量が与えられている。Ｚ補正量は、電気条件、電極径などで構成される加工条件データテーブルに参照される。一層あたりの加工深さｂ１は、この加工条件テーブルより算出することができる。一方、テーパの最大深さはｂであるため、一層あたりの加工深さｂ１が一定の場合、加工形状パスの繰り返し回数はｃ＝ｂ／ｂ１と決定することができる。
【００３３】
テーパの側面方向の最大長さの寸法は、ａであるため、この値から、基本輪郭パス１２に対する初期オフセット値がａと決定される。加工深さｂ１の値より、深さｂに達するまでの加工周回数はｃ＝ｂ／ｂ１として算出される。また、側面テーパ加工を行うためには、１層の加工ごとにオフセットを減少させていく必要がある。１層当たりのオフセット変位量は、加工周回数ｃよりｄ＝ａ／ｃとして算出することができる。以上より、算出した加工１層あたりのオフセット変化量ｄを用いることにより、実加工は、図８のような流れ図で行われることになる。
【００３４】
以上により、単純電極を用いて、一定のＺ軸送り量によって加工される深さデータおよび、テーパ加工用の補正パラメータを記憶し、深さデータより目的深さまでの電極経路の繰り返し回数および、繰り返し回数結果より電極経路１回あたりのオフセット変化量を算出し、電極経路一回毎に前記オフセット変位量を変化させるため、電極消耗に関わらず、従来と比較して複雑な制御をなしに、側面テーパ形状を高精度に加工を行うことができる。
【００３５】
ただし、本加工のように、側面テーパ形状を加工する場合、１層あたりの加工深さｂ１はオフセット変化にともなって、同様に変化する。特に、ａが大きくなり、テーパ角度が大きくなった場合、その傾向は非常に大きくなる。その原因は、電極は常に回転し、電極全面で消耗するのに対して、対向する加工部の面積は徐々に減少し、その結果、電極消耗長さが減少するからである。そのため、ｃ回の加工を行った場合に加工される深さＢは、設定深さｂよりも深く加工されることとなる。
【００３６】
そのため、ここで用いる一層あたりの加工深さｂ１とは、常に変化しているため、ｂ１を補正する必要がある。ｂ１が一定の場合、上記オフセット変化値ｄより、指定の角度での加工が行われる。
つまり、テーパ寸法ａおよびｂに加工される。しかし、実際には、ｂ１は変化するためＢとなる。そのため、一層あたりの擬似的な平均加工深さｂ２は、寸法ａが一定の場合、以下のようになる。（図９参照）
ｂ２＝ｂ１×Ｂ／ｂ
また、１層あたりの加工深さに変化があるため、テーパ側面は図９のようなカーブを持つ側面となる。ただし、このようなテーパ側面は、なだらかなカーブを持つものの、寸法ａおよびｂに関しては、上記のｂ２のデータにより正確に補正できる。
【００３７】
ｂ１およびＢ／ｂより算出されたｂ２より、加工回数は、ｃ＝ｂ／ｂ２により求めることができる。つまり、あらかじめ用意している加工条件テーブルには、一層あたりの加工深さｂ１のデータの他に、テーパ寸法ａあたりのｂ１の補正量、Ｂ／ｂのデータも含まれる。以上より、一層あたりのオフセット変化量ｄに関する算出手段は図１０のようになる。
以上により、一層あたりの加工深さが、電極経路１回ごとに変化するような場合、一層あたりの加工深さを補正することができ、正確に設定深さどうり加工することができる。
【００３８】
なお、本テーパ加工において、電極外径をＤ、側面方向のテーパ寸法をａとすると、使用電極はＤ＞ａの関係を持つ電極である必要がある。Ｄ＜ａの場合、図１１のようになり、被加工物端面において、加工残しが生じる恐れがある。
また、オフセットを変化させていった場合、電極底面部の放電による消耗だけではなく、側面部においても削り残しによる放電がおこなわれ、側面も電極消耗し、正確な形状精度を得ることが出来ない。
【００３９】
一方、上記方法により、テーパ加工を行う場合、オフセット量は０からａまで変化させる必要がある。その際、オフセット量が０から（ａ−ｅ）に至る加工工程では、テーパ側面はほぼ平坦な面が得られる（図１２（ａ））。この理由は、電極は回転しているため、肉厚分の加工面積があれば電極は全面で消耗し、それにより電極消耗補正はＺ軸方向の補正のみで行えるためである。。しかし、オフセットが（ａ−ｅ）以降になると、電極は図１２（ｂ）のように底面の全面で放電が行われなくなるため、エッジ部が丸くなったような消耗形状となる。そのため、最終加工形状のテーパ部分は、コーナー半径ｒの曲り部が生じてしまう。以上より、最終形状のテーパ末端部の曲り部がコーナー半径ｒまで許容できるとすると、電極の肉厚は、ｅ≦ｒの関係をもつ電極を使用する必要がある。
【００４０】
【発明の効果】
第１、４の発明によれば、中空円筒形状電極を用いて、一定のＺ軸送り量によって加工される深さデータを記憶し、深さデータより目的深さまでの電極経路の繰り返し回数および繰り返し回数結果より電極経路１回あたりのオフセット変化量を算出し、電極経路一回毎に前記オフセット変位量を変化させるため、電極消耗に関わらず、従来と比較して複雑な制御なしに、側面テーパ形状を高精度に加工を行うことができる。
【００４１】
第２、６の発明によれば、第１、第４の発明の効果の他に、電極側面部の消耗を最小限に抑えることができるため、側面形状をより高精度に加工することができる。
【００４２】
第３、７の発明によれば、第１、第４の発明の効果の他に、電極が消耗する場合に存在するテーパ側面底部の曲り部を許容値以内に小さくすることができるため、側面形状をより高精度に加工することができる。
【００４３】
第５の発明によれば、一層あたりの加工深さが、電極経路１回ごとに変化するような場合、一層あたりの加工深さを補正することができ、正確に設定深さどうり加工することができる。
【図面の簡単な説明】
【図１】この発明の実施の形態１による放電加工装置を示す概略構成図である。
【図２】図１の放電加工装置までの情報の流れを示す詳細図である。
【図３】加工サンプル形状を示す説明図である。
【図４】この発明の実施の形態１による放電加工装置における側面テーパ加工方法を示すプロセス図である。
【図５】この発明の実施の形態１による放電加工装置における側面テーパ加工時の電極移動経路を示す説明図である。
【図６】消耗補正を行わない場合の加工形状を示す説明図である。
【図７】この発明の実施の形態１による放電加工装置における一層あたりのオフセット変化量に関する算出手段を示すフローチャートである。
【図８】この発明の実施の形態１による放電加工装置における加工１層あたりのオフセット変化量ｄを用いた放電加工方法を示すフローチャートである。
【図９】一層あたりの加工深さの補正を説明するための説明図である。
【図１０】この発明の実施の形態１による放電加工装置における一層あたりのオフセット変化量に関する算出手段の別の例を示すフローチャートである。
【図１１】電極外径が側面方向のテーパ寸法より小さい場合の電極消耗形状を示す図である。
【図１２】テーパ側面の底部に存在する曲り部を示す図である。
【図１３】棒状電極を用いてテーパ形状を生成するための従来の放電加工方法を示す図である。
【図１４】棒状電極を用いてテーパ形状を生成する際、側面を有効に使った場合の加工プロセスを示す図である。
【図１５】消耗補正制御を用いた単純電極による放電加工の従来例を示す図である。
【図１６】棒状電極を用いてテーパ形状を生成する際、図１３の放電加工方法の加工プロセスを示す図である。
【図１７】加工サンプル形状を示す説明図である。
【符号の説明】
１  中空円筒形状電極、２  被加工物
３  電極回転手段および電極移動手段、４  加工液、  ５  加工槽
６  加工液供給装置、７  加工用電源、８  ＮＣ制御手段、９  記憶手段
９ａ  加工形状の２次元輪郭経路、９ｂ  テーパ形状寸法
１０  ＮＣ制御手段、１０ａ  輪郭経路にオフセット情報を付加する手段
１０ｂ  電極経路繰り返し回数算出手段
１０ｃ  経路１回あたりのオフセット変位量算出手段
１０ｄ  電極位置制御手段、１１  スリット加工形状、１２  基本輪郭パス
１３  初期輪郭パス。
【図１】
0003567619.tif 000002
【図２】
0003567619.tif 000003
【図３】
0003567619.tif 000004
【図４】
0003567619.tif 000005
【図５】
0003567619.tif 000006
【図６】
0003567619.tif 000007
【図７】
0003567619.tif 000008
【図８】
0003567619.tif 000009
【図９】
0003567619.tif 000010
【図１０】
0003567619.tif 000011
【図１１】
0003567619.tif 000012
【図１２】
0003567619.tif 000013
【図１３】
0003567619.tif 000014
【図１４】
0003567619.tif 000015
【図１５】
0003567619.tif 000016
【図１６】
0003567619.tif 000017
【図１７】
0003567619.tif 000018